【手続補正書】
【提出日】平成16年3月29日(2004.3.29)
【手続補正１】
【補正対象書類名】明細書
【補正対象項目名】特許請求の範囲
【補正方法】変更
【補正の内容】
【特許請求の範囲】
【請求項１】
圧電体平板上に、少なくとも１個のすだれ状電極と、前記すだれ状電極が発生する弾性表面波をその両側において反射するための１対の反射器を前記弾性表面波の伝搬方向（縦方向Ｘ）に配置し、前記反射器とすだれ状電極は、前記圧電体平板上に金属の平行導体を周期的に配置して形成し、前記反射器と前記すだれ状電極間の最も近接した平行導体間の距離は、すだれ状電極の１周期長が有するラインＬＴとスペースＳＴのうちスペースＳＴからなり、前記すだれ状電極の平行導体の配列周期長ＰＴを、前記反射器の配列周期長ＰＲより小さい設定となし、
前記すだれ状電極の全体が有するトータル反射係数Гを１０＞Γ＞０．８とした周波数上昇エネルギー閉込型であるＳＡＷ共振子において、
前記弾性表面波の伝搬方向Ｘに直交する幅方向Ｙに関して、前記反射器とすだれ状電極を構成する平行導体のＸ方向幅寸法Ｌ(Y)が、幅方向Ｙの中央位置と、両側の寸法が異なることを特徴とするＳＡＷ共振子。
【請求項２】
前記弾性表面波の伝搬方向Ｘに直交する幅方向Ｙに関して、前記反射器とすだれ状電極を構成する平行導体のＸ方向幅寸法Ｌ(Ｙ)が、幅方向Ｙの中央位置において広く(寸法ＬC)、かつ両側において細い寸法ＬSをとることを特徴とする請求項１記載のＳＡＷ共振子。
【請求項３】
前記弾性表面波の伝搬方向Ｘに直交する幅方向Ｙに関して、前記反射器とすだれ状電極を構成する平行導体のＸ方向幅寸法Ｌ(Ｙ)が、幅方向Ｙの中央位置において細く(寸法ＬC)、かつ両側において広い寸法ＬSをとることを特徴とする請求項１記載のＳＡＷ共振子。
【請求項４】
前記寸法Ｌ(Y)が幅方向Ｙの中央位置について対称なｎ値(n＞2)階段状関数にて与えられていることを特徴とする請求項１記載のＳＡＷ共振子。
【請求項５】
前記寸法Ｌ(Y)がＬC＞ＬSの関係式をもつＬCとＬSの階段状関数からなることを特徴とする請求項４記載のＳＡＷ共振子。
【請求項６】
前記寸法Ｌ(Y)がＬC＜ＬSの関係式をもつＬCとＬSの2値の階段状関数からなることを特徴とする請求項４記載のＳＡＷ共振子。
【請求項７】
前記寸法Ｌ(Y)がＬC＞ＬSの関係式に従っており、ＳＡＷ共振子の横モードである基本波斜対称モードＡ０のもつ共振周波数f(A0)が、前記ＳＡＷ共振子の反共振周波数ｆａより大きくした（ f(A0)＞ ｆａ ）ことを特徴とする請求項５記載のＳＡＷ共振子。
【請求項８】
前記寸法Ｌ(Y)がＬC＜ＬSの関係式に従っており、SAW共振子の横モードである基本波対称モードＳ０に対して、基本波斜対称モードＡ０のもつ共振周波数が小さいこと（ f(S0)＞ ｆ(A0) ）を特徴とする請求項６記載のＳＡＷ共振子。
【請求項９】
前記寸法ＬCとＬSの関係式がＬC／ＬS＝０．６から０．８５の範囲であり、すだれ状電極の電極指交差幅の全長ＷＣに対するＬCを有する部分の長さＷＣCの比がＷＣC／ＷＣ＝１／３であることを特徴とする請求項７記載のＳＡＷ共振子。
【請求項１０】
前記寸法ＬCとＬSの関係式がＬC／ＬS＝１．０５から１．２であり、すだれ状電極の電極指交差幅の全長ＷＣに対するＬCを有する部分の長さＷＣCの比がＷＣC／ＷＣ＝１／３であることを特徴とする請求項８記載のＳＡＷ共振子。
【請求項１１】
前記圧電体平板が水晶であって、３０〜４５度回転Ｙ板のＳＴカットであり、かつ前記すだれ状電極の電極指交差幅ＷＣが、弾性表面波の波長をλとして、１０λから４０λの範囲としたことを特徴とする請求項１記載のＳＡＷ共振子。
【請求項１２】
前記１個のＳＡＷ共振子が有するすだれ状電極の対数Ｍと片側反射器の導体本数Ｎの和Ｍ＋Ｎが１５０から２００の範囲内であることを特徴とする請求項１記載のＳＡＷ共振子。
【手続補正２】
【補正対象書類名】明細書
【補正対象項目名】０００５
【補正方法】変更
【補正の内容】
【０００５】
【課題を解決するための手段】
（１）本発明のＳＡＷ共振子は、圧電体平板上に、少なくとも１個のすだれ状電極と、前記すだれ状電極が発生する弾性表面波をその両側において反射するための１対の反射器を前記弾性表面波の伝搬方向（縦方向Ｘ）に配置し、前記反射器とすだれ状電極は、前記圧電体平板上に金属の平行導体を周期的に配置して形成し、前記反射器と前記すだれ状電極間の最も近接した平行導体間の距離は、すだれ状電極の１周期長が有するラインＬＴとスペースＳＴのうちスペースＳＴからなり、前記すだれ状電極の平行導体の配列周期長ＰＴを、前記反射器の配列周期長ＰＲより小さい設定となし、前記すだれ状電極の全体が有するトータル反射係数Гを１０＞Γ＞０．８とした周波数上昇エネルギー閉込型であるＳＡＷ共振子において、前記弾性表面波の伝搬方向Ｘに直交する幅方向Ｙに関して、前記反射器とすだれ状電極を構成する平行導体のＸ方向幅寸法Ｌ(Y)が、幅方向Ｙの中央位置と、両側の寸法が異なるを特徴とする。
（２）前記（１）において、前記弾性表面波の伝搬方向Ｘに直交する幅方向Ｙに関して、前記反射器とすだれ状電極を構成する平行導体のＸ方向幅寸法Ｌ(Ｙ)が、幅方向Ｙの中央位置において広く(寸法ＬC)、かつ両側において細い寸法ＬSをとることを特徴とする。
（３）前記（１）において、前記弾性表面波の伝搬方向Ｘに直交する幅方向Ｙに関して、前記反射器とすだれ状電極を構成する平行導体のＸ方向幅寸法Ｌ(Ｙ)が、幅方向Ｙの中央位置において細く(寸法ＬC)、かつ両側において広い寸法ＬSをとることを特徴とする。
（４）前記（１）において、寸法Ｌ(Y)が幅方向Ｙの中央位置について対称なｎ値(n＞2)階段状関数にて与えられていることを特徴とする。
（５）前記（４）において、寸法Ｌ(Y)がＬC＞ＬSの関係式をもつＬCとＬSの階段状関数からなることを特徴とする。
（６）前記（４）において、寸法Ｌ(Y)がＬC＜ＬSの関係式をもつＬCとＬSの2値の階段状関数からなることを特徴とする。
（７）前記（５）において、寸法Ｌ(Y)がＬC＞ＬSの関係式に従っており、ＳＡＷ共振子の横モードである基本波斜対称モードＡ０がのもつ共振周波数f(A0)が、前記ＳＡＷ共振子の反共振周波数ｆａより大きくした（ f(A0)＞ ｆａ ）ことを特徴とする。
（８）前記（６）において、寸法Ｌ(Y)がＬC＜ＬSの関係式に従っており、SAW共振子の横モードである基本波対称モードＳ０に対して、基本波斜対称モードＡ０のもつ共振周波数が小さいこと(f(A０)＜f(Ｓ０))を特徴とする。
（９）前記（７）において、寸法ＬCとＬSの関係式がＬC／ＬS＝０．６から０．８５であり、すだれ状電極の電極指交差幅の全長ＷＣに対するＬCを有する部分の長さＷＣCの比がＷＣC／ＷＣ＝１／３であることを特徴とする。
（10）前記（８）において、寸法ＬCとＬSの関係式がＬC／ＬS＝１．０５から１．２であり、すだれ状電極の電極指交差幅の全長ＷＣに対するＬCを有する部分の長さＷＣCの比がＷＣC／ＷＣ＝１／３であることを特徴とする。
（11）前記（１）において、前記圧電体平板が水晶であって、３０〜４５度回転Ｙ板のＳＴカットであり、かつ前記すだれ状電極の電極指交差幅ＷＣが、弾性表面波の波長をλとして、１０λから４０λの範囲としたことを特徴とする。
（12）前記（１）において、前記１個のＳＡＷ共振子が有するすだれ状電極の対数Ｍと片側反射器の導体本数Ｎの和Ｍ＋Ｎが１５０から２００の範囲内であることを特徴とする。